(57)【特許請求の範囲】
【請求項１】
種籾を浸す催芽槽と、催芽槽内に貯めた水を循環させながら加温する加温水循環装置と、この加温水循環装置からの加温水を供給する供給管と、前記催芽槽の一側寄りに回動自在で、かつ、軸方向にスライド自在に配置して前記供給管と接続される配管部材と、この配管部材に接続して前記供給管から供給される加温水を前記催芽槽へと散水して還流させる複数のシャワーヘッドと、前記供給管と配管部材との間に介在するパッキン部材と、前記配管部材を介して前記各シャワーヘッドを一斉に起伏させるレバーとを備え、
前記レバーによって前記配管部材をスライドさせることによって、配管部材と供給管とを接離自在とし、
前記シャワーヘッドの散水位置及び退避位置にて前記パッキン部材を介して配管部材と供給管とを密着させるとともに、前記レバーによって配管部材を逆方向にスライドさせて、配管部材と供給管とを離すことによって前記レバーによる各シャワーヘッドの起伏操作を可能とすることを特徴とするシャワー装置を備えた催芽機。
【請求項２】
前記シャワーヘッドに備えたシャワーノズルが前記シャワーヘッドに対して傾斜して取り付けられ、該シャワーノズルから前記催芽槽に還流される加温水が斜め前方に向かって散水されることを特徴とする請求項１記載のシャワー装置を備えた催芽機。
【請求項３】
前記散水時に前記催芽槽とほぼ平行となる倒伏位置と、退避時にシャワーヘッドを起こした起立位置で前記シャワーヘッドを位置決めするストッパ手段を設けたことを特徴とする請求項１又は２記載のシャワー装置を備えた催芽機。
【請求項４】
前記散水位置及び退避位置でのシャワーヘッドの回転を規制する回転規制手段として、前記配管部材に連結して前記供給管に対して回動自在に枢着する中継管と、この中継管と前記レバーとを連結するレバー連動金具と、このレバー連動金具に形成する長孔状の係合溝と、この係合溝と係合する前記中継管に設けた連動軸と、前記レバー連動金具を回動自在に支持する枢着軸と、前記中継管に対して接離自在に配置したパッキン部材とで構成され、前記散水位置にて前記枢着軸を支点として前記レバーを回転させることによって、前記係合溝と連動軸との係合により、前記中継管と配管部材とが軸方向にスライドし、前記中継管が前記パッキン部材に圧接してシャワーヘッドの回転を規制したことを特徴とする請求項１〜３の何れか１項に記載のシャワー装置を備えた催芽機。
【請求項５】
前記配管部材に連結して前記供給管に対して回動自在に枢着する中継管を設け、この中継管と前記配管部材とを着脱自在に連結し、前記中継管から前記シャワー装置を取り外し自在に構成したことを特徴とする請求項１〜４記載の何れか１項に記載のシャワー装置を備えた催芽機。
【発明の詳細な説明】
【技術分野】
【０００１】
本発明は、種籾を加温水（以下、本発明において加温水とは種籾を加熱する水と定義する。）に浸して発芽を促進させる催芽機、特に催芽槽の底部から取り込んだ加温水を複数のシャワーヘッドから催芽槽に散水して循環させるシャワー装置を備えた催芽機に関する。
【背景技術】
【０００２】
従来から種籾を加温水に浸して発芽を促す催芽機が知られており、出願人自身においても種々の催芽装置を開発し、例えば、特許文献１〜３で提案している。これらの催芽装置は、種籾を浸す催芽槽と、催芽槽内に貯めた水を循環させながら加温する加温水循環装置を備え、催芽槽の底部から取り込んだ加温水を複数のシャワー装置から催芽槽に散水して循環させている。
【０００３】
前記特許文献１〜３で提案される催芽機は、催芽槽の上面開口部に臨むように配置したシャワー装置から加温水を散水して催芽槽へと環流させることによって、散水時に空気中の酸素を十分取り込み、効果的に種籾の発芽を促進することができるようになっており、特許文献１、２で開示される催芽機は、催芽槽中央部上方に比較的大型なシャワーボックスを備え、かつ、催芽槽に種籾を浸漬あるいは取り出す（以下、単に出し入れという）際、邪魔にならない位置までシャワーボックスを退避させる可動タイプであり、特許文献３で開示される催芽機は、給水管から分岐管を経て加温水循環装置で加温した加温水を催芽槽へと循環させる複数のシャワーヘッドを分散状に配置した固定タイプのシャワー装置を採用している。
【先行技術文献】
【特許文献】
【０００４】
【特許文献１】特開平６−１８９６１２号公報
【特許文献２】特開平７−３２２７１３号公報
【特許文献３】特開２０００−１８８９６８号公報
【発明の概要】
【発明が解決しようとする課題】
【０００５】
前記特許文献１、２で提案される催芽機は、何れも催芽槽の上方に大型なシャワーボックスを備えており、催芽槽中央部の大部分がシャワーボックスで塞がれているため、種籾の出し入れ時にシャワーボックスが邪魔にならないように、特許文献１では、シャワーボックスを水平方向に回動させてシャワーボックスを退避させることから、催芽槽の上方を全開放するようにシャワーボックスを水平回動させるには、催芽槽の外側にシャワーボックスを退避させるための広いスペースを確保する必要があり、退避スペースを含めた省スペース化において課題を有していた。また、特許文献２では、シャワーボックスが催芽槽の開口部を横切る方向に平行に設けられた一対の案内杆に支持され、種籾を出し入れする際、シャワーボックスを退避位置にスライドさせており、シャワーボックスの退避位置において、シャワーボックスが催芽槽の一部を塞いだ状態となり、種籾を出し入れする際、シャワーボックスが邪魔となりやすい。また、特許文献３においては、催芽槽の上面に複数のシャワーヘッドが分散するように配置されており、特許文献１、２のように可動しない構造であるため、種籾を出し入れする際、複数のシャワーヘッド間を通すようにして種籾を出し入れする必要があり、特許文献１、２に比べ、シャワーヘッド間を通す作業が必要となって、使い勝手に劣る面があった。
【０００６】
本発明は、上記課題に鑑みてなされたものであり、シャワーヘッドから広範囲に亘って加温水を分散状に散水させ、空気中の酸素を十分取り入れて散水することができるとともに、種籾を出し入れする際、シャワーヘッドを邪魔にならない位置に退避させて効率的な種籾の出し入れが可能であり、かつ、そのシャワーヘッドの退避スペースの省スペース化を達成することができるシャワー装置を備えた催芽機を提供することを目的とする。
【課題を解決するための手段】
【０００７】
本発明の請求項１のシャワー装置を備えた催芽機は、種籾を浸す催芽槽と、催芽槽内に貯めた水を循環させながら加温する加温水循環装置と、この加温水循環装置からの加温水を供給する供給管と、前記催芽槽の一側寄りに回動自在で、かつ、軸方向にスライド自在に配置して前記供給管と接続される配管部材と、この配管部材に接続して前記供給管から供給される加温水を前記催芽槽へと散水して還流させる複数のシャワーヘッドと、前記供給管と配管部材との間に介在するパッキン部材と、前記配管部材を介して前記各シャワーヘッドを一斉に起伏させるレバーとを備え、前記レバーによって前記配管部材をスライドさせることによって、配管部材と供給管とを接離自在とし、前記シャワーヘッドの散水位置及び退避位置にて前記パッキン部材を介して配管部材と供給管とを密着させるとともに、前記レバーによって配管部材を逆方向にスライドさせて、配管部材と供給管とを離すことによって前記レバーによる各シャワーヘッドの起伏操作を可能とすることを特徴とする。
【０００８】
本発明の請求項２のシャワー装置を備えた催芽機は、前記シャワーヘッドに備えたシャワーノズルが前記シャワーヘッドに対して傾斜して取り付けられ、該シャワーノズルから前記催芽槽に還流される加温水が斜め前方に向かって散水されることを特徴とする。
【０００９】
本発明の請求項３のシャワー装置を備えた催芽機は、前記散水時に前記催芽槽とほぼ平行となる倒伏位置と、退避時にシャワーヘッドを起こした起立位置で前記シャワーヘッドを位置決めするストッパ手段を設けたことを特徴とする。
【００１０】
本発明の請求項４のシャワー装置を備えた催芽機は、前記散水位置及び退避位置でのシャワーヘッドの回転を規制する回転規制手段として、前記配管部材に連結して前記供給管に対して回動自在に枢着する中継管と、この中継管と前記レバーとを連結するレバー連動金具と、このレバー連動金具に形成する長孔状の係合溝と、この係合溝と係合する前記中継管に設けた連動軸と、前記レバー連動金具を回動自在に支持する枢着軸と、前記中継管に対して接離自在に配置したパッキン部材とで構成され、前記散水位置にて前記枢着軸を支点として前記レバーを回転させることによって、前記係合溝と連動軸との係合により、前記中継管と配管部材とが軸方向にスライドし、前記中継管が前記パッキン部材に圧接してシャワーヘッドの回転を規制したことを特徴とする。
【００１１】
本発明の請求項５のシャワー装置を備えた催芽機は、前記配管部材に連結して前記供給管に対して回動自在に枢着する中継管を設け、この中継管と前記配管部材とを着脱自在に連結し、前記中継管から前記シャワー装置を取り外し自在に構成したことを特徴とする。
【発明の効果】
【００１３】
本発明のシャワー装置を備えた催芽機によれば、催芽槽の底部から加温水循環装置により吸水して催芽槽の上面から散水させる加温水は、催芽槽の上面全面に亘って均等に配置した複数のシャワーヘッドのシャワーノズルから斜め前方へ散水されるので、シャワーヘッドをコンパクト化が可能であるとともに、シャワーノズルから催芽槽内に均等に散水され、加温水の温度ムラを生じさせることが少ない。しかも催芽槽の上面から加温水が広く均等に散水されるので、散水時において催芽槽内の加温水に空気中の酸素が多く取り入れられ、種籾の発芽を効果的に促進することができる。
【００１４】
さらに、催芽槽への種籾の出し入れ時において、催芽槽の上面全面に亘って均等に配置された複数のシャワーヘッドは、レバー操作によって水平位置からほぼ垂直に起立させて邪魔にならない位置に退避させることができ、催芽槽への種籾の出し入れも容易であるとともに、シャワーヘッドの退避位置が水平方向ではなく、垂直方向であるため、催芽槽の周囲にシャワーヘッドを退避させるための無用なスペースを確保する必要もないため、省スペース化が可能となり、使い勝手も良好である。
【００１５】
さらに、シャワーヘッドは散水位置と退避位置において、回転規制手段によってシャワーヘッドの回転が規制され、散水時及び退避時おいてシャワーヘッドが不用意に回転することなく、確実に散水することができるとともに、種籾の出し入れ作業にも支障を来たす虞もない。
【図面の簡単な説明】
【００１６】
【図１】本発明の一実施例を示す催芽機の平面図であり、図１（ａ）は１０００リットル、図１（ｂ）は５００リットル、図１（ｃ）は３００リットルの催芽槽を示している。
【図２】同上、催芽機の斜視図であり、図２（ａ）はシャワーヘッドを倒した状態、図２（ｂ）はシャワーヘッドを起こした状態を示している。
【図３】同上、中継管を省略した回転規制手段を示す斜視図である。
【図４】同上、回転部カバーを省略した回転規制手段を示す斜視図である。
【図５】同上、図４においてレバーを省略した状態を示す斜視図である。
【図６】同上、レバー部分の断面図である。
【図７】同上、回転規制手段を示す拡大断面図である。
【図８】同上、回転部カバーを示す斜視図である。
【図９】同上、レバー部分を示しており、図９（ａ）は平面図、図９（ｂ）は正面図である。
【図１０】同上、軸方向からレバーを見た断面図である。
【図１１】同上、シャワーヘッドの可動状態を示すシャワーヘッドの側面図である。
【発明を実施するための形態】
【００１７】
以下、添付図面を参照して本発明の一実施例を説明する。図１において、１は催芽機であって、催芽機１は、種籾を浸す催芽槽２と、催芽槽２内の加温水を循環させる加温水循環装置３と、催芽槽２の上面開口に臨むように配置したシャワー装置４とを備え、加温水循環装置３によって前記催芽槽２の底部から吸水して揚水した加温水をシャワー装置４によって催芽槽２の上面から略全体にわたって分散状に散水するように構成している。
【００１８】
前記催芽槽２は、上面を開口した長方形状箱型を成し、その長手方向に沿って前記シャワー装置４を配置している。シャワー装置４は二つのシャワーノズル１０，１０を備えた複数のシャワーヘッド１１から成り、催芽槽２の容量に応じて各シャワー装置４から催芽槽２の略全体に亘って分散させて散水するようにシャワーヘッド１１の配置や個数、間隔が設定されている。すなわち、図１（ａ）に示すように、１０００リットルの催芽槽２では２系統のシャワー装置４、４を催芽槽２の長手方向中央部に隣接させて併設しており、各系統のシャワー装置４、４がそれぞれ四つのシャワーヘッド１１を備え、催芽槽２全体として八つのシャワーヘッド１１を配置している。また、図１（ｂ）に示す５００リットルの催芽槽２及び図１（ｃ）に示す３００リットルの催芽槽２ではそれぞれ１系統のシャワー装置４を催芽槽２の長手方向一縁寄りに配置し、それぞれ三つのシャワーヘッド１１を備えている。また、図１１に示すように、前記各シャワーヘッド１１に取り付けた各シャワーノズル１０，１０はシャワーヘッド１１に対して傾斜して固定されている。なお、シャワーヘッド１１に対する各シャワーノズル１０，１０の傾斜角はシャワーヘッド１１の取り付け位置や催芽槽２の外形サイズなどによって異なるが、概ね１０°〜２０°の範囲内であり、本実施例においてはシャワーヘッド１１に対する各シャワーノズル１０，１０の傾斜角αは１５°に設定されている。このように、シャワーヘッド１１に対して各シャワーノズル１０，１０を１５°傾斜させて取り付けることによって、シャワーヘッド１１の長さを抑えてもシャワーノズル１０，１０からの加温水が斜め前方に向かって散水されるため、より広範囲に散水することができ、シャワーノズル１１のコンパクト化が可能となる。なお、各シャワーヘッド１１と加温水循環装置３との間にサンプル容器５０が配置されているが、サンプル容器５０の機能については、本願出願人が自ら出願した特開平７−３２２７１３号公報と実質同一であり、その詳細については省略する。
【００１９】
次に前記シャワーヘッド１１の構成について主に図６、図７を参照して説明する。前記加温水循環装置３で揚水した加温水の供給管１２は、各シャワーヘッド１１と一体的に接続した配管部材１３と接続され、供給管１２から配管部材１３、配管部材１３から各シャワーヘッド１１へと加温水が供給される。また、前記供給管１２と前記配管部材１３とは中継管１４を介して接続されている。すなわち、配管部材１３の先端部にキャップ状のナット１１Ａが抜け止め自在に装着され、このナット１１Ａを中継管１４に締め付けることによって中継管１４を介して前記供給管１２と前記配管部材１３とを連結している。また、前記中継管１４にはレバー１５が連結されており、このレバー１５の回転操作に連動して前記配管部材１３と、この配管部材１３と一体的に連結された前記各シャワーヘッド１１が起伏動自在に回動する。また、中継管１４と供給管１２との間にパッキン部材２２が介在しており、前記レバー１５によって前記中継管１４を介して配管部材１３をスライドさせることによって、中継管１４と供給管１２とが接離し、前記シャワーヘッド１１の回転を規制するロック及びそのロック解除を行う。すなわち、パッキン部材２２を介して中継管１４と供給管１２とを密着し、中継管１４と供給管１２との隙間からの水漏れを防止するとともに、中継管１４とパッキン部材２２との摩擦によって中継管１４と各シャワーヘッド１１の配管部材１３との回転が規制される。一方、中継管１４と供給管１２とが離れると中継管１４との配管部材１３とが回転自在となり、各シャワーヘッド１１は起伏方向に回転操作が可能となる。
【００２０】
次に前記シャワーヘッド１１の回転を規制する回転規制手段の構成を図３〜図１０などを参照しながら説明する。図３、図５に示すように、供給管１２の外周面には環状の係合溝５が形成され、この係合溝５には分割した第１及び第２の取付ブラケット６，７に形成する係合孔８が係合している。この係合孔８と係合溝５との係合によって供給管１２に第１及び第２の取付ブラケット６，７が回動自在に組み付けられており、その第１の取付ブラケット６と前記レバー１５を固定するレバー連動金具１６とが枢着軸１８によって回動自在に枢着されている。さらに、図４に示すように、前記レバー連動金具１６には前記中継管１４に固着した連動軸１９と係合する円弧状の係合溝２０が形成され、前記枢着軸１８を回動支点としてレバー１５を回動さることによって、係合溝２０によって連動軸１９が移動し、前記中継管１４は供給管１２に沿ってスライドする。これら中継管１４、レバー連動金具１６及び供給管１２は回転部カバー５１に内蔵されており、その回転部カバー５１に前記レバー１５を案内するコ型の案内溝５２が形成され、この案内溝５２に沿ってレバー１５を操作する。なお、図８などにおいて符号Ａが各シャワーヘッド１１の水平位置、符号Ｂが水漏れ防止位置、符号Ｃが各シャワーヘッド１１の起立位置、Ｄが各シャワーヘッド１１の倒伏防止位置であり、シャワーヘッド１１は、水漏れ防止位置Ｂにて水平に倒して散水する際と、倒伏防止位置Ｄにてシャワーヘッド１１を起こして退避させた状態においてシャワーヘッド１１の回転を規制（ロック）する。
【００２１】
水漏れ防止位置Ｂにおいては、図７において一点鎖線で示すように、中継管１４がパッキン部材２２に圧接し、その中継管１４がパッキン部材２２との摩擦力によって各シャワーヘッド１１が水平状態にて回転が規制される。さらに、中継管１４と供給管１２との間に介在するパッキン部材２２が中継管１４に押されて圧潰し、中継管１４と供給管１２と密着して中継管１４と供給管１２との隙間からの水漏れを防止するように構成している。この水漏れ防止位置Ｂから水平位置Ａまでレバー１５を可動させると、図７において実線で示すように、レバー連動金具１６が枢着軸１８を支点して回転する（反時計方向）。これにより、レバー連動金具１６に形成する係合溝２０と、中継管１４に固着した連動軸１９との係合によって、中継管１４がパッキン部材２２と離反する方向（図７において矢印ａ方向）に移動し、中継管１４、ひいてはシャワーヘッド１１は、水平位置Ａにてシャワーヘッド１１のロックが解除される。この状態で図１０及び図１１に示すように水平位置Ａから起立位置Ｃまでレバー１５を回転させることによって、レバー１５と連動軸１９を介して連結された中継管１４がレバー１５と連動して一体的に回転し、中継管１４と配管部材１３及びシャワーヘッド１１が起立方向に回転する。そして、起立位置Ｃから前記倒伏防止位置Ｄにレバー１５を回転させることによって、前記水漏れ防止位置Ｂと同様、各シャワーヘッド１１を起こした退避位置にて中継管１４がパッキン部材２２に圧接して中継管１４の回転が規制される。これにより、水漏れ防止位置Ｂと同様、中継管１４に連結した各シャワーヘッド１１が起立状態を保ったままシャワーヘッド１１及び配管部材１３の回転が規制され、種籾を収容したケースあるいは種籾を収容した網袋を催芽槽２に浸漬あるいは取り出す際、各シャワーヘッド１１を邪魔にならない位置に退避させることができる。また、倒伏防止位置Ｄでは、水漏れ防止位置Ｂと同様、中継管１４と供給管１２との間に介在するパッキン部材２２が圧潰し、その摩擦力にて各シャワーヘッド１１の回転が規制される。なお、図１０に示すように、水平位置Ａと起立位置Ｃにおいて、レバー１５に固定したレバー連動金具１６に固定した第１の取付ブラケット６がストッパ手段たるストッパ金具２５と当接して位置決めされる。特に、シャワーヘッド１１は、水平状態において、シャワーヘッド１１の自重に加えてシャワーヘッド１１内の水の重量が加わり、シャワーヘッド１１が倒伏する方向への力が大きくなるが、前記第１の取付ブラケット６がストッパ金具２５と当接して、シャワーヘッド１１はストッパ金具２５によって水平状態を保ったまま確実に支持することができる。
【００２２】
また、一斉に起立させた各シャワーヘッド１１を水漏れ防止位置Ｂまで戻す際には、逆の手順で倒伏防止位置Ｄから起立位置Ｃ、水平位置Ａを経て水漏れ防止位置Ｂまでレバー１５を案内溝５２に沿わせて戻すことによって、中継管１４がロック時とは逆方向に移動（図７において矢印ｂ方向）に移動してパッキン部材２２に圧接することによって、各シャワーヘッド１１が水平状態を保ったまま配管部材１３及びシャワーヘッド１１の回転が規制される。このように、シャワーヘッド１１を水平位置Ａまで倒して水漏れ防止位置Ｂでロックすることにより、催芽槽２の底部から加温水循環装置３により吸水した加温水は、供給管１２、中継管１４、配管部材１３を経て催芽槽２の上面全面に均等に配置された各シャワーヘッド１１から催芽槽２に散水される。これにより、加温水の温度ムラを生じさせることが少なく、しかも催芽槽２の上面において加温水が広く拡散状に均等に散水されるので、その過程で加温水に空気中の酸素が多く取り入れられ、催芽槽２に浸漬した種籾の発芽を均等に促進することができる。また、配管部材１３の先端部に装着したキャップ状のナット１１Ａを緩めることによって、前記中継管１４から前記配管部材１３と分離させ、供給管１２から配管部材１３に組み付けたシャワー装置４を取り外すことも可能となる。これにより、例えば、種籾を消毒液に浸して消毒する際にシャワー装置４から散水すると泡立つことになるが、泡立ないほうが望ましい場合、中継管１４からシャワー装置４を取り外して消毒液を中継管１４から直接、あるいはホースなどを連結して催芽槽２に供給することもできる。
【００２３】
以上のように構成される本実施例によれば、催芽槽２の底部から加温水循環装置３により吸水して催芽槽２の上面にかけて循環させる加温水は、催芽槽２の上面全面に亘って均等に配置した複数のシャワーヘッド１１から散水される。このため、催芽槽２内の加温水がその略全体にわたって均等に循環して、加温水の温度ムラを生じさせることが少なく、しかも催芽槽２の上面において加温水が広く拡散状に均等に散水されるので、その過程で加温水に空気中の酸素が多く取り入れられ、催芽槽２に浸漬した種籾の発芽を均等に促進することができる。
【００２４】
さらに、催芽槽２への種籾の浸漬及び取り出し時において、催芽槽２の上面全面に亘って均等に配置された複数のシャワーヘッド１１は、レバー１５を操作して図２（ｂ）に示すように水平位置からほぼ垂直に起立してシャワーヘッド１１を邪魔にならない位置に退避させることによって、催芽槽２のほぼ上面を開放することができ、種籾の出し入れも容易であるとともに、シャワーヘッド１１の退避位置は、水平方向ではなく、垂直方向であるため、催芽槽２の周囲にシャワーヘッド１１の退避スペースを確保する必要もないため、省スペース化が可能となり、使い勝手も良好である。また、シャワーヘッド１１を水平に倒した散水位置並びにシャワーヘッド１１を起こした退避位置においてシャワーヘッド１１の回転を規制（水漏れ防止位置Ｂ及び倒伏防止位置Ｄ）するように構成しているため、シャワーヘッド１１による散水時及びシャワーヘッド１１の退避時においてシャワーヘッド１１の変動を抑えることができ、散水作業並びに種籾の出し入れ作業にも支障を来たす虞もない。
【００２５】
また、本実施例においては、シャワーヘッド１１に対して各シャワーノズル１０，１０を１５°傾斜させて取り付けることによって、シャワーノズル１０，１０から加温水が斜め前方に向かって散水され、シャワーヘッド１１をコンパクト化してもシャワーノズル１０，１０からの加温水をより広範囲に散水することができる。
【００２６】
以上、本発明の一実施例について詳述したが、本発明は前記実施例に限定されるものではなく、本発明の要旨の範囲内で種々の変形実施が可能である。例えば、シャワーヘッド１１の個数や形状、あるいはシャワーヘッド１１のロック及びロック解除を行う構造などは前記実施例に限定されるものではない。また、催芽機１の大きさや催芽機１の細部の構造も適宜選定すればよい。
【符号の説明】
【００２７】
１  催芽機
２  催芽槽
３  加温水循環装置
４  シャワー装置
１０  シャワーノズル
１１  シャワーヘッド
１２  供給管
１３  配管部材（位置規制手段）
１４  中継管（位置規制手段）
１５  レバー
１６  レバー連動金具（位置規制手段）
１８  枢着軸（位置規制手段）
１９  連動軸（位置規制手段）
２０  係合溝（位置規制手段）
２２  パッキン部材（位置規制手段）
２５  ストッパ金具（ストッパ手段）
【図１】
0005466611.tif 000002
【図２】
0005466611.tif 000003
【図３】
0005466611.tif 000004
【図４】
0005466611.tif 000005
【図５】
0005466611.tif 000006
【図６】
0005466611.tif 000007
【図７】
0005466611.tif 000008
【図８】
0005466611.tif 000009
【図９】
0005466611.tif 000010
【図１０】
0005466611.tif 000011
【図１１】
0005466611.tif 000012